(57)【要約】【課題】  標準電波を受信しにくい場所であっても、手間やコストをかけずに標準電波の受信及び時刻修正を行う事が出来るシステムを提供すること。【解決手段】  電波受信装置１０１により、標準電波を受信して得られた時刻データを送出する手段として、電灯線や電力線を利用することで、上述の課題を解決する。ほとんどの建物には電灯線や電力線が張り巡らされているため、新たにケーブルなどを敷設することなく時刻データの送受信が可能となる。【選択図】      図１
2006226759.tif 000002
【特許請求の範囲】
【請求項１】
標準電波を受信して得られた時刻データを、標準タイムコードまたはその他のフォーマット（例えば、図７に示すようなアスキーコードに変換したフォーマット）に変換し、電灯線や電力線を利用して送出する、電波受信装置と信号送信装置。
【請求項２】
請求項１による装置と、電灯線や電力線により得られた時刻情報を、標準タイムコードまたはその他のフォーマットに変換し、所定の搬送波に重畳し、アンテナ等を介して送出する中継器。このときの搬送波は、受信する電波と同一の長波標準電波または、専用の電波であってもよい。
【請求項３】
請求項１による装置と、電灯線や電力線により得られた時刻情報を、標準タイムコードまたはその他のフォーマットに変換し、送出する中継器
【発明の詳細な説明】
【技術分野】
【０００１】
本発明は、標準電波を受信して得られた時刻情報データを、電灯線や電力線を利用して送出するシステムと、中継器に関するものである。
【背景技術】
【０００２】
現在、電波時計（電波受信装置）は、高精度な時刻情報をのせた４０ｋＨｚまたは６０ｋＨｚの標準電波を受信し、時刻補正を行うものであり、パソコンやＬＥＤ表示機器等の時刻修正に多く使用されている。しかし、長波電波の性質上、鉄骨ビルの中や密集地及び地下などでは標準電波を受信しにくくなってしまう。また、家電製品やＯＡ機器、高圧線の近くなど周辺ノイズの多い場所などでも受信しにくくなってしまう。そのため、良好に標準電波を受信出来る場所が限られてしまう。
【０００３】
したがって、電波受信装置で受信した時刻データを、時刻修正したい機器に送信するためには、専用線の敷設または無線装置の設置などを行っている。
【特許文献１】特開２００４−１４７０７２号公報
【発明の開示】
【発明が解決しようとする課題】
【０００４】
しかし、専用線の敷設または無線装置の設置などは、手間やコストが発生してしまう。本発明は、上記のような問題点を解決するための通信システムと中継器を提供することである。
【課題を解決するための手段】
【０００５】
図１に示す電波受信装置１０１により、標準電波を受信して得られた時刻データを送出する手段として、電灯線や電力線を利用することで、上述の課題を解決する。ほとんどの建物には電灯線や電力線が張り巡らされているため、新たにケーブルなどを敷設することなく時刻データの送受信が可能となる。
【０００６】
請求項１に記載の発明の電波受信装置と信号送信装置は、標準電波を受信して生成された時刻データを、標準タイムコードまたはその他のフォーマット（例えば、図７に示すようなアスキーコードに変換したフォーマット）の電気信号に変換する変換手段と、この変換手段により生成された信号を電灯線や電力線に送出するための送信手段と、を備える事を特徴としている。
【０００７】
請求項１に記載の発明によれば、専用線の敷設または無線装置の設置を行うことなく、既設の電灯線や電力線を利用して、時刻データの送出を行うことが出来る。
【０００８】
請求項２に記載の発明の中継器は、請求項１に記載の電波受信装置と信号送信装置により送出された標準タイムコードまたはその他のフォーマットの電気信号に変換された時刻データを電灯線や電力線を介して受信する受信手段と、その時刻データを標準タイムコードまたはその他のフォーマトに変換する変換手段と、この変換手段により生成された信号をアンテナ等を介して送信する送信手段と、を備える事を特徴としている。
【０００９】
請求項２に記載の発明によれば、既設の電灯線や電力線を利用して、標準電波の受信しにくい場所の電波受信装置に対しての時刻修正を行うことが出来る。
【００１０】
請求項３に記載の発明の中継器は、請求項１に記載の電波受信装置と信号送信装置により送出された標準タイムコードまたはその他のフォーマットの電気信号に変換された時刻データを電灯線や電力線を介して受信する受信手段と、その時刻データを標準タイムコードまたはその他のフォーマトに変換する変換手段と、この変換手段により生成された信号を有線または無線にて送信する送信手段と、を備える事を特徴としている。
【００１１】
請求項３に記載の発明によれば、既設の電灯線や電力線を利用して、標準電波の受信しにくい場所の時刻修正機器に対しての時刻修正を行うことが出来る。
【発明の効果】
【００１２】
請求項１〜請求項３の発明により、標準電波を受信しにくい場所に設置された電波時計が接続された機器であっても、新たに専用線や無線装置等を設置することなく、既設の電灯線を利用して、時刻修正を行うことができるため、コストを低減することができる。また、導入コストが高い、専用線で接続される親子時計の設備も必要なくなっていく。
【発明を実施するための最良の形態】
【００１３】
以下、本発明の実施の形態について図面を参照しつつ説明する。本発明においては、既設の電灯線や電力線を利用し、標準電波を受信しにくい場所であっても、安定して標準電波を受信することを基本的な構成とするものである。
【００１４】
＜第１の実施形態＞
図１および図２において、良好に標準電波を受信出来る場所に電波受信装置１０１を設置する。電波受信装置１０１が受信した時刻データを時刻データ送信装置１０２のデータ入出力部１０２ａへ送信する。データ入出力部１０２ａは受信した時刻データをデータ変換部１０２ｂへ送信し、標準タイムコードまたはその他のフォーマットの電気信号に変換される。この変換された信号は電灯線送信回路１０２ｃに送信され、電源ケーブル１０３が接続されるコンセント１１２を通して、電灯線１１１へ送出される。電灯線１１１へ送出された時刻データは、コンセント１１３に接続される電源ケーブル１０４を通して中継器１０５で受信される。
【００１５】
図３は中継器１０５の回路構成図である。電灯線受信回路１０５ａが受信した時刻データは、データ変換部１０５ｂへ送信され、標準タイムコードまたはその他のフォーマットの電気信号に変換される。この変換された信号は、変調回路１０５ｃに送信され、発振回路１０５ｅにより生成された搬送波を位相回路１０５ｄを通して変調回路１０５ｃに送信されたものと合成し、アンテナ１０６等を介して送出する。このときの搬送波は、標準電波と同一の周波数であってもよいし、専用の電波であってもよい。
【００１６】
また、位相回路１０５ｄは、生成した搬送波の位相と標準電波の位相とが逆相になることを防ぐためのものである。
【００１７】
以上により図１に示すように、標準電波を受信しにくい場所に設置された電波受信装置１０７や電波受信装置１０９であっても、電灯線を利用して時刻データを送信し、中継器１０５により、時刻データをアンテナ１０６を介して送出することで、安定した時刻修正をパソコン１０８やＬＥＤ表示機器１１０等に対して行うことが出来る。また、一般に市販されている電波受信機能付き腕時計１１４や電波受信機能付き時計１１５の時刻修正も行うことが可能となる。
【００１８】
＜第２の実施形態＞
図４および図５において、良好に標準電波を受信出来る場所に電波受信装置２０１を設置する。電波受信装置２０１が受信した時刻データを時刻データ送信装置２０２のデータ入出力部２０２ａへ送信する。データ入出力部２０２ａは受信した時刻データをデータ変換部２０２ｂへ送信し、標準タイムコードまたはその他のフォーマットの電気信号に変換される。この変換された信号は電灯線送信回路２０２ｃに送信され、電源ケーブル２０３が接続されるコンセント２１３を通して、電灯線２１２へ送出される。電灯線２１２へ送出された時刻データは、コンセント２１４に接続される電源ケーブル２０４を通して中継器２０５で受信される。
【００１９】
図６は中継器２０５の回路構成図である。電灯線受信回路２０５ａが受信した時刻データは、データ変換部２０５ｂへ送信され、標準タイムコードまたはその他のフォーマットの電気信号に変換される。この変換された信号は、データ入出力部２０５ｃに送信される。
データ入出力部２０５ｃから送信された時刻データは、図４に示すパソコン２０６へ送信され時刻を修正する。送信方法は通信線２１７であっても良いし、無線装置２０９と２１６を介した無線信号であっても良い。
【００２０】
以上により、標準電波を受信しにくい場所に設置されたパソコン２０６やＬＥＤ表示機器２１１であっても、電灯線を利用して時刻データを送信し、中継器２０５や中継器２０８により、時刻データを送出することで、安定した時刻修正を行うことが出来る。
【図面の簡単な説明】
【００２１】
【図１】第１の実施形態における電灯線を利用した時刻修正システムブロック図。
【図２】第１の実施形態における時刻データ送信装置の回路ブロック図。
【図３】第１の実施形態における中継器の回路ブロック図。
【図４】第２の実施形態における電灯線を利用した時刻修正システムブロック図。
【図５】第２の実施形態における時刻データ送信装置の回路ブロック図。
【図６】第２の実施形態における中継器の回路ブロック図。
【図７】時刻データをアスキーコードに変換したフォーマット例。
【図８】標準タイムコード。
【符号の説明】
【００２２】
１０１    電波受信装置
１０２    時刻データ送信装置
１０２ａ  データ入出力部
１０２ｂ  データ変換部
１０２ｃ  電灯線送信回路
１０３    電源ケーブル
１０４    電源ケーブル
１０５    中継器
１０５ａ  電灯線受信回路
１０５ｂ  データ変換部
１０５ｃ  変調回路
１０５ｄ  位相回路
１０５ｅ  発振回路
１０６    アンテナ
１０７    電波受信装置
１０８    パソコン
１０９    電波受信装置
１１０    ＬＥＤ表示機器
１１１    電灯線
１１２    コンセント
１１３    コンセント
１１４    電波受信機能付き腕時計
１１５    電波受信機能付き時計
２０１    電波受信装置
２０２    時刻データ送信装置
２０２ａ  データ入出力部
２０２ｂ  データ変換部
２０２ｃ  電灯線送信回路
２０３    電源ケーブル
２０４    電源ケーブル
２０５    中継器
２０５ａ  電灯線受信回路
２０５ｂ  データ変換部
２０５ｃ  データ入出力部
２０６    パソコン
２０７    電源ケーブル
２０８    中継器
２０９    無線装置
２１０    受信装置
２１１    ＬＥＤ表示機器
２１２    電灯線
２１３    コンセント
２１４    コンセント
２１５    コンセント
２１６    無線装置
２１７    通信線
【図１】
2006226759.tif 000003
【図２】
2006226759.tif 000004
【図３】
2006226759.tif 000005
【図４】
2006226759.tif 000006
【図５】
2006226759.tif 000007
【図６】
2006226759.tif 000008
【図７】
2006226759.tif 000009
【図８】
2006226759.tif 000010